【手続補正書】
【提出日】平成19年7月26日(2007.7.26)
【手続補正１】
【補正対象書類名】明細書
【補正対象項目名】特許請求の範囲
【補正方法】変更
【補正の内容】
【特許請求の範囲】
【請求項１】  記録ヘッドを記録媒体に対して相対的に走査しつつ異なる色の複数のインクを吐出させて記録媒体に記録を行うインクジェット記録装置において、
前記記録ヘッドの走査によって記録媒体に記録されるバンド同士のつなぎ部近傍を複数に分割してなる各単位領域毎に、当該単位領域に打ち込まれる各インクの量の相対関係を示す相対情報を獲得する獲得手段と、
前記獲得手段により獲得された各単位領域毎の相対情報と、当該単位領域に打ち込まれる各インクの量の和を示す量情報に基づいて、当該単位領域内のつなぎ部近傍に打ち込むインクの量を低減するための低減率を各インク毎に決定する決定手段と、
前記決定手段によって決定されたインク毎の低減率に基づいて、前記つなぎ部近傍へ打ち込む各インクの量を低減させるための処理を行う低減手段と
を有することを特徴とするインクジェット記録装置。
【請求項２】  前記獲得手段は、前記単位領域に打ち込まれる各インクの量を、各インクに対応した２値データの数をカウントすることで取得し、
前記決定手段は、前記低減率として２値データの間引率を決定し、
前記低減手段は、前記間引率に基づいて２値データを間引くことを特徴とする請求項１記載のインクジェット記録装置。
【請求項３】  記録ヘッドを記録媒体に対して相対的に走査しつつ異なる色の複数のインクを吐出させて記録媒体に記録を行うインクジェット記録方法において、
前記記録ヘッドの走査によって記録媒体に記録されるバンド同士のつなぎ部近傍を複数に分割してなる各単位領域毎に、当該単位領域に打ち込まれる各インクの量の相対関係を示す相対情報を獲得し、
獲得された各単位領域毎の相対情報と、当該単位領域に打ち込まれる各インクの量の和を示す量情報に基づいて、当該単位領域内のつなぎ部近傍に打ち込むインクの量を低減するための低減率を各インク毎に決定し、
決定されたインク毎の低減率に基づいて、前記つなぎ部近傍へ打ち込む各インクの量を低減させるための処理を行うことを特徴とするインクジェット記録方法。
【請求項４】  記録ヘッドを記録媒体に対して相対的に走査しつつ異なる色の複数のインクを吐出させて記録媒体に記録を行うインクジェット記録装置へ送信するデータを処理するデータ処理方法において、
前記記録ヘッドの走査によって記録媒体に記録されるバンド同士のつなぎ部近傍を複数に分割してなる各単位領域毎に、当該単位領域に打ち込まれる各インクの量の相対関係を示す相対情報を獲得し、
獲得された各単位領域毎の相対情報と、当該単位領域に打ち込まれる各インクの量の和を示す量情報に基づいて、当該単位領域内のつなぎ部近傍に打ち込むインクの量を低減するための低減率を各インク毎に決定し、
決定されたインク毎の低減率に基づいて、前記つなぎ部近傍へ打ち込む各インクの量が低減するようにデータ処理を行うことを特徴とするデータ処理方法。
【請求項５】  記録ヘッドを記録媒体に対して相対的に走査しつつ異なる色の複数のインクを吐出させて記録媒体に記録を行うインクジェット記録装置において、
前記記録ヘッドの走査によって記録媒体に記録されるバンド同士のつなぎ部近傍を複数に分割してなる各単位領域毎に、当該単位領域に打ち込まれる各インクに対応したデータ数の相対関係を示す相対情報を獲得する獲得手段と、
前記獲得手段により獲得された各単位領域毎の相対情報と、当該単位領域に打ち込まれる各インクに対応したデータ数に基づいて、当該単位領域内の間引き領域に打ち込むインクに対応したデータを間引くための間引率を各インク毎に決定する決定手段と、
前記間引き領域へ打ち込む各インクに対応したデータを、前記決定手段によって決定されたインク毎の間引率に基づいて間引く間引き手段と
を有することを特徴とするインクジェット記録装置。
【請求項６】  前記決定手段は、前記獲得手段により獲得された各単位領域の相対情報から、当該単位領域の色相と彩度とを判定する判定手段を有し、
前記判定手段により判定された当該単位領域の色相と彩度と、当該単位領域に打ち込まれる各インクに対応したデータ数に基づいて、前記間引率を決定することを特徴とする請求項５に記載のインクジェット記録装置。
【請求項７】  前記決定手段は、前記判定手段により判定された当該単位領域の色相と彩度と、当該単位領域に打ち込まれる各インクに対応したデータ数の和に基づいて、前記間引率を決定することを特徴とする請求項６に記載のインクジェット記録装置。
【請求項８】  前記データ数の和と前記間引き率とが対応付けられた間引きテーブルが、前記色相と彩度の組み合わせ毎に設けられており、
前記決定手段は、前記判定手段により判定された色相と彩度の組み合わせに応じて使用する間引きテーブルを選択し、前記選択した間引きテーブルと前記データ数の和に応じて前記間引き率を決定することを特徴とする請求項６または７に記載のインクジェット記録装置。
【請求項９】  前記獲得手段により獲得される各インクに対応したデータ数に対して各インク毎に重み付けできることを特徴とする請求項５ないし８の何れかに記載のインクジェット記録装置。
【請求項１０】  前記決定手段は、前記間引き領域が複数に分割された分割領域夫々について前記間引き率を決定することを特徴とする請求項５ないし９の何れかに記載のインクジェット記録装置。
【請求項１１】  前記分割領域は、前記間引き領域が前記走査の方向とは異なる方向に分割された領域であることを特徴とする請求項１０に記載のインクジェット記録装置。
【請求項１２】  前記間引き領域は前記単位領域より小さいことを特徴とする請求項５ないし１１の何れかに記載のインクジェット記録装置。
【請求項１３】  前記異なる色の複数のインクはシアン、マゼンタ、イエローのインクを含むことを特徴とする請求項５ないし１２の何れかに記載のインクジェット記録装置。
【請求項１４】  前記決定手段における間引率は、所定の離散値毎に区別される間引きランクとして決定されることを特徴とする請求項５に記載のインクジェット記録装置。
【請求項１５】  前記間引き手段における間引き処理は、前記間引き領域毎に設定される間引率に基づいて行われることを特徴とする請求項５に記載のインクジェット記録装置。
【請求項１６】  前記単位領域は隣接するバンドに跨る領域であることを特徴とする請求項５ないし１５の何れかに記載のインクジェット記録装置。
【請求項１７】  記録ヘッドを記録媒体に対して相対的に走査しつつ異なる色の複数のインクを吐出させて記録媒体に記録を行うインクジェット記録装置において、
前記記録ヘッドの走査によって記録媒体に記録されるバンド同士のつなぎ部近傍を複数に分割してなる、複数の画素で構成される単位領域毎に、当該単位領域に打ち込まれる各インクの量の相対関係を示す相対情報を獲得する獲得手段と、
前記獲得手段により獲得された単位領域毎の相対情報に基づいて、当該単位領域内のつなぎ部近傍に打ち込むインクの量を低減するための低減率を各インク毎に決定する決定手段と、
前記決定手段により決定されたインク毎の低減率に基づいて、前記単位領域内のつなぎ部近傍に打ち込む各インクの量を低減させるための処理を行う低減手段と
を有することを特徴とするインクジェット記録装置。
【請求項１８】  前記決定手段は、前記相対情報と前記単位領域に打ち込まれる各インクの量を示す量情報に基づいて、前記低減率を各インク毎に決定することを特徴とする請求項１７記載のインクジェット記録装置。
【請求項１９】  前記獲得手段は、前記単位領域に打ち込まれる各インクの量を、各インクに対応した２値のデータの数をカウントすることで取得し、
前記決定手段は、前記低減率として２値データの間引率を決定し、
前記低減手段は、前記間引率に基づいて２値データを間引くことを特徴とする請求項１８記載のインクジェット記録装置。
【請求項２０】  前記獲得手段は、前記相対情報を各インクに対応した多値データを加算することで獲得し、
前記低減手段は、前記低減率に基づいて多値データのレベルを下げることを特徴とする請求項１７記載のインクジェット記録装置。
【請求項２１】  前記獲得手段は、前記単位領域に打ち込まれる各インクの量をＲ，Ｇ，Ｂに対応した多値データを加算することで獲得し、
前記低減手段は、Ｒ，Ｇ，Ｂに対応した多値データを少なくともＹ，Ｍ，Ｃに対応した多値データであって、異なる低減率でレベルが低減された多値データに変換するテーブルを複数有し、前記相対情報に基づいて前記複数のテーブルを選択することを特徴とする請求項１７記載のインクジェット記録装置。
【請求項２２】  記録ヘッドを記録媒体に対して相対的に走査しつつ異なる色の複数のインクを吐出させて記録媒体に記録を行うインクジェット記録方法において、
前記記録ヘッドの走査によって記録媒体に記録されるバンド同士のつなぎ部近傍を複数に分割してなる、複数の画素で構成される単位領域毎に、当該単位領域に打ち込まれる各インクの量の相対関係を示す相対情報を獲得し、
獲得された単位領域毎の相対情報に基づいて、前記単位領域内のつなぎ部近傍に打ち込むインクの量を低減するための低減率を各インク毎に決定し、
決定されたインク毎の低減率に基づいて、前記単位領域内のつなぎ部近傍に打ち込む各インクの量を低減させるための処理を行うことを特徴とするインクジェット記録方法。
【請求項２３】  記録ヘッドを記録媒体に対して相対的に走査しつつ異なる色の複数のインクを吐出させて記録媒体に記録を行うインクジェット記録装置へ送信するデータを処理するデータ処理方法において、
前記記録ヘッドの走査によって記録媒体に記録されるバンド同士のつなぎ部近傍を複数に分割してなる、複数の画素で構成される単位領域毎に、当該単位領域に打ち込まれる各インクの量に対応したデータの相対関係を示す相対情報を獲得し、
獲得された単位領域毎の相対情報に基づいて、前記単位領域内のつなぎ部近傍に打ち込むインクの量に対応したデータを低減するための低減率を各インク毎に決定し、
決定されたインク毎の低減率に基づいて、当該単位領域内のつなぎ部近傍に打ち込む各インクの量を低減させるように前記データを処理することを特徴とするデータ処理方法。
【請求項２４】  前記単位領域は複数の画素で構成されることを特徴とする請求項１、２、５乃至１６のいずれかに記載のインクジェット記録装置。
【請求項２５】  前記決定手段は、前記単位領域に打ち込まれる量が相対的に少ないインクと相対的に多いインクとで異なる低減率を決定可能であることを特徴とする請求項１、２、１７乃至２１のいずれかに記載のインクジェット記録装置。
【手続補正２】
【補正対象書類名】明細書
【補正対象項目名】００１３
【補正方法】変更
【補正の内容】
【００１３】
【課題を解決するための手段】
本発明は上記目的を達成するため、記録ヘッドを記録媒体に対して相対的に走査しつつ異なる色の複数のインクを吐出させて記録媒体に記録を行うインクジェット記録装置において、前記記録ヘッドの走査によって記録媒体に記録されるバンド同士のつなぎ部近傍を複数に分割してなる各単位領域毎に、当該単位領域に打ち込まれる各インクの量の相対関係を示す相対情報を獲得する獲得手段と、前記獲得手段により獲得された各単位領域毎の相対情報と、当該単位領域に打ち込まれる各インクの量の和を示す量情報に基づいて、当該単位領域内のつなぎ部近傍に打ち込むインクの量を低減するための低減率を各インク毎に決定する決定手段と、前記決定手段によって決定されたインク毎の低減率に基づいて、前記つなぎ部近傍へ打ち込む各インクの量を低減させるための処理を行う低減手段とを有することを特徴とする。
【手続補正３】
【補正対象書類名】明細書
【補正対象項目名】００１４
【補正方法】変更
【補正の内容】
【００１４】
また、本発明は、記録ヘッドを記録媒体に対して相対的に走査しつつ異なる色の複数のインクを吐出させて記録媒体に記録を行うインクジェット記録装置において、前記記録ヘッドの走査によって記録媒体に記録されるバンド同士のつなぎ部近傍を複数に分割してなる各単位領域毎に、当該単位領域に打ち込まれる各インクに対応したデータ数の相対関係を示す相対情報を獲得する獲得手段と、前記獲得手段により獲得された各単位領域毎の相対情報と、当該単位領域に打ち込まれる各インクに対応したデータ数に基づいて、当該単位領域内の間引き領域に打ち込むインクに対応したデータを間引くための間引率を各インク毎に決定する決定手段と、前記間引き領域へ打ち込む各インクに対応したデータを、前記決定手段によって決定されたインク毎の間引率に基づいて間引く間引き手段とを有することを特徴とする。
【手続補正４】
【補正対象書類名】明細書
【補正対象項目名】００１５
【補正方法】変更
【補正の内容】
【００１５】
さらに、本発明は、記録ヘッドを記録媒体に対して相対的に走査しつつ異なる色の複数のインクを吐出させて記録媒体に記録を行うインクジェット記録装置において、前記記録ヘッドの走査によって記録媒体に記録されるバンド同士のつなぎ部近傍を複数に分割してなる、複数の画素で構成される単位領域毎に、当該単位領域に打ち込まれる各インクの量の相対関係を示す相対情報を獲得する獲得手段と、前記獲得手段により獲得された各単位領域毎の相対情報に基づいて、当該単位領域内のつなぎ部近傍に打ち込むインクの量を低減するための低減率を各インク毎に決定する決定手段と、前記決定手段により決定されたインク毎の低減率に基づいて、前記単位領域内のつなぎ部近傍に打ち込む各インクの量を低減させるための処理を行う低減手段とを有することを特徴とする。
【手続補正５】
【補正対象書類名】明細書
【補正対象項目名】００７９
【補正方法】変更
【補正の内容】
【００７９】
これらＤ１、Ｄ２、ＵＣのうちで最も大きい値を取るものを判定することで、着目しているドットカウント領域（単位領域）が図９の中でどの色域にあるかを決定する（ステップＳ３２）。本例においてはＤ１が三つのうちで最も大きいため、ドットカウント領域はマゼンタの中にある、という判定を行うことになる。
【手続補正６】
【補正対象書類名】明細書
【補正対象項目名】００８８
【補正方法】変更
【補正の内容】
【００８８】
実際に、本実施例に用いる間引きランクグラフの一例を図１２に示す。上述のとおり、間引きランクグラフは各色域毎に適切なものが設定されており、図１２にはある１つの色域（マゼンタ）での例を示している。
【手続補正７】
【補正対象書類名】明細書
【補正対象項目名】００９０
【補正方法】変更
【補正の内容】
【００９０】
また、図１２においては、色域判定により判定された色域（本実施例においてはマゼンタ）に対するグラフのみを示したが、実際にはこの組み合わせが、さらにシアン、イエロー、ＵＣに対しても存在する。